(57)【要約】【課題】  デジタル受信機において、プリセットテーブルの登録を容易にする。【解決手段】  デジタル放送の送信所を示す送信所識別子と、その送信所識別子の示す送信所が送信を受け持つ放送エリアとの対応を示す送信所テーブルと、放送エリアと、その放送エリアにおいて受信可能なチャンネルとの対応を示すチャンネルテーブルと、制御回路３０とを設ける。制御回路３０は、デジタル放送の周波数帯のスキャン中に情報信号を受信したときには、その受信した情報信号から送信所識別子を取り出す。送信所テーブルを参照することにより、取り出した送信所識別子から対応する放送エリアを判別する。チャンネルテーブルを参照することにより、判別結果の放送エリアにおいて受信可能なチャンネルのデータをプリセットテーブルに登録し、以後、スキャンを停止する。【選択図】  図１
2007336408.tif 000002
【特許請求の範囲】
【請求項１】
地上デジタル放送を受信して所定のチャンネルの映像信号、音声信号および受信中のチャンネルに関する情報の情報信号を出力する受信回路と、
数字キーと、
上記受信回路に供給されて上記地上デジタル放送のチャンネルを選択するためのチャンネルデータが登録されるプリセットテーブルと、
上記地上デジタル放送の送信所を示す送信所識別子と、この送信所識別子の示す送信所が送信を受け持つ放送エリアとの対応を示す送信所テーブルと、
上記放送エリアと、この放送エリアにおいて受信可能なチャンネルとの対応を示すチャンネルテーブルと、
制御回路と
を有し、
上記制御回路は、
上記地上デジタル放送の周波数帯のスキャンを実行し、
このスキャン中に上記情報信号を受信したときには、その受信した情報信号から上記送信所識別子を取り出し、
上記送信所テーブルを参照することにより、上記取り出した送信所識別子から、この送信所識別子の示す送信所が送信を受け持つ放送エリアを判別し、
上記チャンネルテーブルを参照することにより、上記判別結果の放送エリアにおいて受信可能なチャンネルを選択するためのチャンネルデータを上記プリセットテーブルに登録して上記プリセットテーブルを更新し、
この更新の終了したとき、上記スキャンを停止し、
このスキャンの停止後に上記数字キーが押されたときには、上記プリセットテーブルに登録されているチャンネルデータのうち、上記押された数字キーに対応するチャンネルデータを取り出し、
この取り出したチャンネルデータを上記受信回路に設定する
ようにした地上デジタル放送の受信機。
【請求項２】
請求項１に記載の受信機において、
上記地上デジタル放送の受信状態が悪化した場合に、上記スキャンを開始する
ようにした地上デジタル放送の受信機。
【請求項３】
請求項１あるいは請求項２に記載の受信機において、
上記スキャンにより上記送信所識別子が得られたとき、この送信所識別子と、前回のスキャンにより得られた上記送信所識別子とを比較し、
この比較の結果、両者が異なる場合にのみ上記プリセットテーブルの更新を実行する
ようにした地上デジタル放送の受信機。
【発明の詳細な説明】
【技術分野】
【０００１】
この発明は、地上デジタル放送の受信機に関する。
【背景技術】
【０００２】
地上デジタルテレビ放送の受信機には、チャンネルのプリセット選局機能やチャンネルアップダウン機能が用意されている。プリセット選局機能は、リモコン（遠隔操作）の送信機に設けられている数字キーのいずれかを押すと、その押されたキーにあらかじめプリセットされているチャンネルが選択されるものである。また、チャンネルアップダウン機能は、チャンネルアップキーあるいはチャンネルダウンキーを押すと、プリセットされているチャンネルが順に選択されていくものである。
【０００３】
これらの機能を実現するため、据置型の地上デジタルテレビ放送の受信機では、受信機の設置時、その使用場所を示す情報、例えば郵便番号を入力するように促される。そして、ユーザが使用場所を示す情報を入力すると、その使用場所の地域で受信できるチャンネルが、プリセット用のメモリに自動的に登録される。
【０００４】
したがって、以後、プリセット選局機能やチャンネルアップダウン機能を利用することができるようになる。また、番組の情報と組み合わせることにより番組表を表示できるようにもなる。
【０００５】
なお、先行技術文献として例えば以下のものがある。
【特許文献１】特開２００４−３４３２３５号公報
【発明の開示】
【発明が解決しようとする課題】
【０００６】
ところで、自動車などの移動体に搭載した受信機、あるいはいわゆるノートパソコンや携帯電話機などに内蔵した受信機、つまり、移動体受信機は、これを使用する場所が一定しない。このため、移動体受信機において、プリセット選局機能やチャンネルアップダウン機能を利用できるようにするには、移動するごとに、受信機の使用場所を示す情報を入力する必要がある。しかし、これでは使い勝手が悪くなってしまう。
【０００７】
そこで、スキャンキーを設け、このスキャンキーが押されたら、デジタルテレビ放送の周波数帯をスキャンし、放送の行われているチャンネルをプリセット用のメモリに順に登録していくことが考えられる。また、ＧＰＳなどを用いて受信機の位置を検出し、その検出した位置情報の示す場所で受信できるチャンネルをメモリに登録することも考えられる。
【０００８】
しかし、スキャンキーによる場合には、ユーザが移動場所ごとにスキャンキーを操作する必要があり、あるいは放送が受信可能と思われる場所に移動してからスキャンキーを操作する必要があり、使い勝手が悪いものとなってしまう。
【０００９】
また、すべてのチャンネルをスキャンしてプリセットを行う場合には、２〜３分の時間が必要であり、やはり使い勝手が悪くなってしまう。しかし、過去のスキャン結果をすべて保存しておくと、メモリとして大きな容量が必要になってしまう。
【００１０】
さらに、放送エリアは単純な形状ではないので、ＧＰＳによる場合には、ＧＰＳの示す緯度および経度がどの放送エリアに含まれるかを判別するための構成や処理が複雑になってしまい、現実的ではない。
【００１１】
また、放送に含まれるネットワーク識別、トランスポートストリーム識別あるいはサービス識別を利用することも考えられるが、中継で送信しているような場合には、実際の放送エリアを特定することができないことが多く、やはり現実的ではない。
【００１２】
この発明は、以上のような問題点を解決しようとするものである。
【課題を解決するための手段】
【００１３】
この発明においては、
地上デジタル放送を受信して所定のチャンネルの映像信号、音声信号および受信中のチャンネルに関する情報の情報信号を出力する受信回路と、
数字キーと、
上記受信回路に供給されて上記地上デジタル放送のチャンネルを選択するためのチャンネルデータが登録されるプリセットテーブルと、
上記地上デジタル放送の送信所を示す送信所識別子と、この送信所識別子の示す送信所が送信を受け持つ放送エリアとの対応を示す送信所テーブルと、
上記放送エリアと、この放送エリアにおいて受信可能なチャンネルとの対応を示すチャンネルテーブルと、
制御回路と
を有し、
上記制御回路は、
上記地上デジタル放送の周波数帯のスキャンを実行し、
このスキャン中に上記情報信号を受信したときには、その受信した情報信号から上記送信所識別子を取り出し、
上記送信所テーブルを参照することにより、上記取り出した送信所識別子から、この送信所識別子の示す送信所が送信を受け持つ放送エリアを判別し、
上記チャンネルテーブルを参照することにより、上記判別結果の放送エリアにおいて受信可能なチャンネルを選択するためのチャンネルデータを上記プリセットテーブルに登録して上記プリセットテーブルを更新し、
この更新の終了したとき、上記スキャンを停止し、
このスキャンの停止後に上記数字キーが押されたときには、上記プリセットテーブルに登録されているチャンネルデータのうち、上記押された数字キーに対応するチャンネルデータを取り出し、
この取り出したチャンネルデータを上記受信回路に設定する
ようにした地上デジタル放送の受信機
とするものである。
【発明の効果】
【００１４】
この発明によれば、送信所識別子を受信して放送エリアを特定しているので、実際の放送エリアを確実に特定することができる。また、送信所識別子は、スキャンを開始して最初に受信したトランスポートストリームから得ることができるので、プリセットに必要な時間を大幅に短縮できる。
【発明を実施するための最良の形態】
【００１５】
〔１〕  送信される情報信号および用語について
地上デジタルテレビ放送においては、本来の映像信号、音声信号あるいはデータ信号に加えて、各種の情報信号を送信しているが、その情報信号の１つに「送信所識別子(Transmitter_ID)」がある。この送信所識別子は、送信所を識別するための識別コードであり、全国でユニークな値が割り振られている。
【００１６】
この発明においては、この送信所識別子を受信し、この送信所識別子から現在の放送エリアを判別し、この判別結果からプリセットを実行するものである。
【００１７】
〔２〕  構成
図１は、この発明を適用した地上デジタルテレビ放送の受信機の一例を示し、符号１０はその受信回路である。すなわち、地上デジタルテレビ放送の放送波がアンテナ１１により受信され、その受信信号がシンセサイザ方式に構成されたチューナ回路１２に供給されて目的とするチャンネル（サービス）を含む受信信号が中間周波信号に変換される。
【００１８】
そして、この中間周波信号が中間周波回路１３を通じて復調回路１４に供給されてＭＰＥＧ２形式のトランスポートストリームが復調されて取り出され、このトランスポートストリームがＴＳデコーダ回路１５に供給されて目的とするチャンネルの映像および音声のデータストリームが選択されるとともにデコードされて取り出される。
【００１９】
そして、この取り出された映像のデータストリームが、映像デコーダ回路１６に供給されてもとのデジタル映像信号にデコードされ、このデジタル映像信号がＯＳＤ回路１７を通じてデジタル入力の表示手段、例えばＬＣＤパネル１８に供給され、目的とするチャンネルの映像が表示される。
【００２０】
なお、ＯＳＤ回路１７は、後述するシステム制御回路３０からの制御信号にしたがって、映像デコーダ回路１６から供給される映像信号のＬＣＤパネル１８への供給を制御するものである。さらに、ＯＳＤ回路１７は、システム制御回路３０からの表示データにしたがって、所定の文字（数字や記号を含む）を表示するためのデジタル映像信号を形成し、これをＬＣＤパネル１８に供給するものでもある。
【００２１】
さらに、ＴＳデコーダ回路１５から取り出された音声のデータストリームが、音声デコーダ回路２１に供給されてもとのデジタル音声信号にデコードされるとともに、アナログ信号にＤ／Ａ変換され、この信号がスピーカ２２に供給され、ＬＣＤパネル１８に表示されている映像に対応する音声が、スピーカ２２から出力される。
【００２２】
また、ＴＳデコーダ回路１５から上述の送信所識別子を含む情報信号が取り出され、この情報信号がシステム制御回路３０に供給されるとともに、復調回路１４およびＴＳデコーダ回路１５からシステム制御回路３０にステータス信号が供給される。また、システム制御回路３０からチューナ回路１２に選局信号が供給されるとともに、ＴＳデコーダ回路１５に制御信号が供給される。
【００２３】
この場合、システム制御回路３０は、受信回路１０の受信チャンネルやＬＣＤパネル１８の表示などの制御を行うものである。このため、制御回路３０は、マイクロコンピュータにより構成され、ＣＰＵ３１と、各種のプログラムが書き込まれているＲＯＭ３２と、ワークエリア用のＲＡＭ３３と、不揮発性メモリ３４とを有している。
【００２４】
そして、システム制御回路３０には、各種の操作キー４１が接続されるとともに、リモコン（遠隔操作）の受信部４２が接続される。この受信部４２は、リモコンの送信機５０と対となっているものであり、これら送信機５０および受信部４２は、例えば赤外線によりリモコンを実現するものである。そして、送信機５０は、操作キーの一部として、「１」〜「10」の数字キー５１と、チャンネルアップダウン機能を実現するための次キー５２Ｎおよび前キー５２Ｐとを有する。なお、数字キー５１は、後述するように、プリセット選局機能を実現するためのプリセットキーでもある。
【００２５】
また、システム制御回路３０のＲＯＭ３２には、そのプログラムの一部として、例えば図２に示すようなルーチン１００が用意される。このルーチン１００は、プリセット選局用のデータを登録するためのものであり、その詳細については後述する。なお、図２においては、ルーチン１００はこの発明に関係する部分だけを抜粋して示している。
【００２６】
さらに、システム制御回路３０のＲＯＭ３２には、例えば図３および図４に示すような送信所テーブルTXTBLおよびチャンネルテーブルCHTBLが用意される。この場合、送信所テーブルTXTBLは、送信所識別子と、この送信所識別子が示す送信所が放送を受け持つ放送エリアとの対応テーブルである。
【００２７】
また、チャンネルテーブルCHTBLは、放送エリアと、その放送エリアで放送されているチャンネルを受信するために必要なチャンネルデータＤCHとの対応テーブルである。ここで、チャンネルデータＤCHは、チューナ回路１２に選局信号として供給されて目的とするチャンネルを含む受信信号を選択するためのデータと、ＴＳデコーダ回路１５に制御信号として供給されて目的とするチャンネルの映像および音声のデータストリームを選択するためのデータとから構成されている。
【００２８】
さらに、システム制御回路３０のメモリ３４には、例えば図５に示すようなプリセットテーブルPTBLが用意される。このプリセットテーブルPTBLは、プリセット選局機能によるチャンネルの選択を実現するためのものである。
【００２９】
すなわち、図５の例においては、プリセットテーブルPTBLは、チャンネルデータＤCHと、局名データと、チャンネル番号データとを１組とし、この１組のデータを、リモコン送信機５０の数字キー５１のそれぞれ（「１」〜「10」キー）ごとに有する。ここで、チャンネルデータＤCHは上記のとおりであり、局名データは、ＬＣＤパネル１８に、テレビ局名などを表示するためのデータであり、チャンネル番号データは、ＬＣＤパネル１８にチャンネル番号を表示するためのデータである。
【００３０】
〔３〕  動作
〔３−１〕  自動プリセット
任意のチャンネルを受信している場合に、受信機が放送エリア外に移動すると、これによりそのチャンネルを受信できなくなるが、これが復調回路１４からのステータス信号によりシステム制御回路３０に通知される。すると、システム制御回路３０において、ＣＰＵ３１の処理がルーチン１００のステップ１０１からスタートし、次にステップ１０２において、ループカウンタｉが「１」にセットされ、ステップ１０３において、所定の期間の時間待ちが行われる。
【００３１】
続いて、ステップ１０４において、復調回路１４からのステータス信号をチェックすることにより放送を受信できるか否かが判別される。そして、放送を受信できないときには、処理はステップ１０４からステップ１０５に進み、このステップ１０５において、ループカウンタｉが「１」だけインクリメントされ、その後、ステップ１０６において、カウンタｉが例えば４以上であるか否かが判別され、４以上ではないときには、処理はステップ１０６からステップ１０３に戻る。こうして、ステップ１０３の時間待ちと、ステップ１０５の放送の受信の確認とが繰り返される。
【００３２】
そして、ステップ１０５において、放送を受信できるときには、処理はステップ１０５からステップ１０７に進み、このステップ１０７によりルーチン１００を終了する。したがって、自動車がトンネルの中やビルの陰などに移動することにより受信機が放送を一時的受信できなくなるような場合には、プリセットについては、何も実行されないことになり、それまで受信していたチャンネルの受信が継続される。
【００３３】
しかし、受信機が放送エリア外に移動すると、放送を受信できない状態が続き、ステップ１０３〜１０６の繰り返し回数がその上限、図２の場合は４回を越えるので、これがステップ１０６により判別され、処理はステップ１０６からステップ１１１に進む。
【００３４】
そして、ステップ１１１において、システム制御回路３０からの選局信号により、チューナ回路１２の受信チャンネルが、地上デジタルテレビ放送における最低チャンネルに設定され、次にステップ１１２において、復調回路１４からのステータス信号をチェックすることにより、このとき設定されている受信チャンネルで放送を受信できるか否かが判別される。
【００３５】
そして、放送を受信できないときには、処理はステップ１１２からステップ１１３に進み、このステップ１１３において、このときチューナ回路１２に設定されているチャンネルが最高チャンネルであるか否かが判別され、最高チャンネルではないときには、処理はステップ１１３からステップ１１４に進み、チューナ回路１２は、このとき設定されている受信チャンネルより１チャンネル高い受信チャンネルに設定され、その後、処理はステップ１１１に戻る。
【００３６】
したがって、以後、ステップ１１１〜１１４が繰り返されるので、地上デジタルテレビ放送の周波数帯に対して、その最低チャンネルから１チャンネルずつ放送の有無がチェックされていくことになり、すなわち、スキャンされていくことになる。
【００３７】
そして、このスキャン中、あるチャンネルで放送を受信できると、これがステップ１１２により判別され、処理はステップ１１２からステップ１２１に進む。そして、このステップ１２１において、受信されたトランスポートストリームの情報信号から送信所識別子が取り出され、次にステップ１２２において、送信所テーブルTXTBLを参照することにより、ステップ１２１で取り出された送信所識別子は、対応する放送エリアを示すデータに変換される。
【００３８】
続いて、ステップ１２３において、チャンネルテーブルCHTBLから、ステップ１２２の変換結果の放送エリアで受信できるチャンネルデータＤCHが取り出され、この取り出されたチャンネルデータＤCHがプリセットテーブルPTBLに転送される。したがって、ステップ１２１〜１２３により、プリセットテーブルPTBLが更新されるとともに、このとき、プリセットテーブルPTBLは、実際に放送が受信可能な放送エリアのチャンネルデータＤCHにより更新されていることになる。
【００３９】
そして、その後、ステップ１２４において、プリセットテーブルPTBLのチャンネルデータうち、先頭のチャンネルデータＤCHが取り出され、この取り出されたチャンネルデータＤCHがチューナ回路１２およびＴＳデコーダ回路１５に供給される。
【００４０】
この結果、チューナ回路１２において、プリセットテーブルPTBLに登録された先頭のチャンネルの受信が開始されるとともに、ＴＳデコーダ回路１５において、その先頭のチャンネルの映像および音声のデータストリームが選択されてデコードされる。したがって、映像デコーダ回路１６からは先頭のチャンネルのデジタル映像信号が取り出され、このデジタル映像信号がＯＳＤ回路１７を通じてＬＣＤパネル１８に供給されるので、ＬＣＤパネル１８にはプリセットテーブルPTBLの先頭にプリセットされているチャンネルの映像が表示される。
【００４１】
また、音声デコーダ回路２１からは先頭のチャンネルのアナログ音声信号が出力され、この音声信号がスピーカ２２に供給される。したがって、スピーカ２２からはこのときの映像に対応する音声が出力される。
【００４２】
次に、ステップ１２５において、プリセットテーブルPTBLに登録されたすべての局名データおよびチャンネル番号データが取り出され、この取り出されたデータがＯＳＤ回路１７に表示データとして供給される。この結果、ＯＳＤ回路１７において、その表示データに対応した所定のデジタル映像信号が形成されてＬＣＤパネル１８に供給され、例えば図６に示すように、すべての局名およびそのチャンネル番号の組が局名リスト１８Ｌとして表示される。また、このとき、この局名リスト１８Ｌのうち、先頭の局名およびチャンネル番号の表示位置に、指標としてカーソル１８Ｃが、例えば反転表示により表示される。
【００４３】
そして、所定の短い時間が経過したとき、チャンネルリスト１８Ｌの表示は消去されてステップ１２４により選択されたチャンネルの映像だけとされ、その後、ステップ１２６によりルーチン１００を終了する。
【００４４】
なお、ステップ１１３において、チューナ回路１２に設定されているチャンネルが最高チャンネルのときには、処理はステップ１１３からステップ１１５に進み、このステップ１１５において、ＯＳＤ回路１７に所定の表示データが供給されてＬＣＤパネル１８には、プリセットの更新に失敗したことを示す文章が表示され、その後、ステップ１２６によりルーチン１００を終了する。
【００４５】
こうして、ルーチン１００によれば、送信所識別子を使用して放送エリアが判別され、この判別された放送エリアのチャンネルデータＤCHがプリセットテーブルPTBLに自動的に登録される。そして、この場合、送信所識別子は全国でユニークな値が割り振られているとともに、実際に受信できた送信所識別子から放送エリアを特定しているので、放送エリアの特定が確実になる。
【００４６】
また、送信所識別子は、ステップ１１２〜１１４の繰り返しにおいて最初に受信したトランスポートストリームから得ることができ、これにより放送エリアを知ることができるので、それ以降のスキャンを行う必要がなく、プリセットに必要な時間を大幅に短縮できる。例えば、すべてのチャンネルをスキャンしてプリセットを行う場合には、上記のように２〜３分の時間が必要であるのに比べ、数十秒以下でプリセットを行うことができる。
【００４７】
さらに、どこに移動しても、常にその移動先で受信可能なチャンネルのみを選択することができ、チャンネルリスト１８Ｌが見やすいものとなる。また、プリセットのためのスキャンを自動的にスタートさせることができ、使い勝手がよい。さらに、チャンネルテーブルCHTBLやプリセットテーブルPTBLは、郵便番号などから受信地を指定する場合にも、必要となるものであるから、上述の受信機を実現する場合には、送信所テーブルTXTBLおよびルーチン１００を新たに設けるだけでよく、簡単であるとともに、コストの上昇を抑えることができる。
【００４８】
〔３−２〕  プリセット選局機能によるチャンネルの選択
この場合には、リモコン送信機５０の数字キー５１のうち、目的とするチャンネルがプリセットされている数字キーを押す。
【００４９】
すなわち、数字キー５１のうち、例えば「３」キーを押すと、これが赤外線により送信機５０から受信部４２に送信され、システム制御回路３０に「３」キーの押されたことが通知される。すると、システム制御回路３０においては、プリセットテーブルPTBLのうち、「３」キーの組からチャンネルデータＤCH3が取り出され、この取り出されたチャンネルデータＤCH3が、チューナ回路１２およびＴＳデコーダ回路１５に供給される。
【００５０】
したがって、ＬＣＤパネル１８には「３」キーにプリセットされているチャンネルの映像が表示される。また、スピーカ２２からは「３」キーにプリセットされているチャンネルの音声が出力される。
【００５１】
さらに、このとき、プリセットテーブルPTBLのうち、「３」キーの組から局名データ「○○テレビ」が取り出されるとともに、チャンネル番号データ「＊４＊」が取り出され、これらデータがＯＳＤ回路１７に表示データとして供給される。この結果、ＯＳＤ回路１７において、その表示データに対応した所定のデジタル映像信号が形成され、この映像信号がＬＣＤパネル１８に供給される。これにより、ＬＣＤパネル１８には、「３」キーにプリセットされているチャンネルのテレビ局名「○○テレビ」およびチャンネル番号「＊４＊」が、放送の映像に重畳されて所定の期間にわたって表示される。
【００５２】
こうして、数字キー５１の「１」〜「10」キーのどれかを押すと、その押されたキーにプリセットされているチャンネルが選択され、そのチャンネルの受信ができる。
【００５３】
〔３−３〕  チャンネルアップダウン機能によるチャンネルの選択
この場合には、プリセットテーブルPTBLにプリセットされているチャンネルのうちの任意のチャンネルを受信しているときに、リモコン送信機５０のうちの次キー５２Ｎあるいは前キー５２Ｐを押す。
【００５４】
すると、この次キー５２Ｎあるいは前キー５２Ｐの押されたことが、〔３−２〕の場合と同様にしてシステム制御回路３０に通知され、プリセットテーブルPTBLのチャンネルデータうち、現在受信中のチャンネルの次あるいは前のチャンネルのチャンネルデータＤCHが取り出され、この取り出されたチャンネルデータＤCHがチューナ回路１２およびＴＳデコーダ回路１５に供給される。この結果、〔３−２〕の場合と同様にして現在受信中のチャンネルの次あるいは前のチャンネルの選択が開始される。
【００５５】
また、このとき、プリセットテーブルPTBLに登録されているすべての局名データおよびチャンネル番号データが取り出され、この取り出されたデータがＯＳＤ回路１７に表示データとして供給される。この結果、ＯＳＤ回路１７において、その表示データに対応した所定のデジタル映像信号が形成されてＬＣＤパネル１８に供給され、例えば図６に示すように、局名と、そのチャンネル番号とが局名リスト１８Ｌとして表示される。
【００５６】
さらに、この局名リスト１８Ｌのうち、現在受信中のチャンネルの次あるいは前のチャンネルの局名およびチャンネル番号の表示位置、図６の場合、「××テレビ」および「１＊＊」の表示位置に、指標としてカーソル１８Ｃが表示される。
【００５７】
そして、現在受信中のチャンネルの次あるいは前のチャンネルの映像および音声が得られるようになって所定の短い期間が経過すると、ＯＳＤ回路１７が制御され、図６に示す局名リスト１８Ｌは表示されなくなる。
【００５８】
したがって、次キー５２Ｎあるいは前キー５２Ｐを押すと、その押すごとに次のチャンネルあるいは前のチャンネルが選択されていき、最後に次キー５２Ｎあるいは前キー５２Ｐを押したチャンネルの映像および音声を視聴できることになる。
【００５９】
〔４〕  まとめ
上述のテレビ受信機によれば、送信所識別子には全国でユニークな値が割り振られていることに着目し、送信所識別子を使用して放送エリアを判別し、この判別した放送エリアのチャンネルデータＤCHをプリセットテーブルPTBLに登録するようにしているので、すなわち、実際に受信できる送信所識別子から放送エリアを特定しているので、放送エリアを確実に特定することができる。
【００６０】
また、送信所識別子は、スキャンを開始して最初に受信したトランスポートストリームから得ることができ、これにより放送エリアを知ることができるので、それ以降のスキャンを行う必要がなく、プリセットに必要な時間を大幅に短縮できる。
【００６１】
さらに、どこに移動しても、常にその移動先で受信可能なチャンネルのみを選択することができ、チャンネルリスト１８Ｌが見やすいものとなる。また、プリセットのためのスキャンを自動的にスタートさせることができ、使い勝手がよい。さらに、ＧＰＳなどを用いて受信機の位置を検出したり、その検出結果から受信位置がどの放送エリアに含まれるかを判別したりする必要がないので、構成や処理が複雑になることがない。
【００６２】
〔５〕  その他
例えば、カーオーディオ装置における受信機の場合であれば、カセットやＣＤなどを再生しているとき、あるいはナビゲーション装置を使用しているときのようにテレビ放送を視聴していないとき、裏でルーチン１００を常に自動的に実行することもできる。
【００６３】
また、ルーチン１００において、ステップ１０６からステップ１１１に移るとき、それまでの送信所識別子をいったん退避しておき、ステップ１２１で送信所識別子を取得したとき、その取得した送信所識別子と退避しておいた送信所識別子とを比較し、異なる場合のみ、ステップ１２２以降を実行するようにしてもよい。
【００６４】
さらに、ステップ１１４によりプリセットの更新に失敗したことを表示したのち、ユーザの指示待ちとし、ユーザが再度の更新を指示したとき、ステップ１１１以降を繰り返すようにしてもよい。あるいはユーザの指示を求めずに自動的に繰り返すとともに、その繰り返し回数や繰り返しの総時間があらかじめ設定してある値になるまでスキャンを繰り返すようにしてもよい。
【００６５】
また、ユーザが例えば操作キー４１のうちのスキャンキーを押した場合、ルーチン１００のステップ１１１以降を実行することもでき、その場合には、ワンタッチで強制的にプリセットテーブルPTBLを更新することができる。さらに、この発明は地上デジタル音声放送の受信機にも適用できる。
【００６６】
〔略語の一覧〕
ＣＤ      ：Compact Disc
ＣＰＵ    ：Central Processing Unit
Ｄ／Ａ    ：Digital to Analog
ＧＰＳ    ：Global Positioning System
ＬＣＤ    ：Liquid Crystal Display
ＭＰＥＧ  ：Motion Picture Experts Group
ＭＰＥＧ２：MPEG Phase 2
ＯＳＤ    ：On Screen Display
ＲＡＭ    ：Random Access Memory
ＲＯＭ    ：Read Only Memory
ＴＳ      ：Transport Stream
リモコン  ：Remote Control
【図面の簡単な説明】
【００６７】
【図１】この発明の一形態を示す系統図である。
【図２】この発明の一形態を示すフローチャートである。
【図３】この発明に使用できるデータテーブルの図である。
【図４】この発明に使用できるデータテーブルの図である。
【図５】この発明に使用できるデータテーブルの図である。
【図６】表示例を示す図である。
【符号の説明】
【００６８】
１０…受信回路、３０…システム制御回路、３１…ＣＰＵ、３４…不揮発性メモリ、４１…操作キー、４２…リモコン受信部、５０…リモコン送信機、５１…数字キー、１００…ルーチン
【図１】
2007336408.tif 000003
【図２】
2007336408.tif 000004
【図３】
2007336408.tif 000005
【図４】
2007336408.tif 000006
【図５】
2007336408.tif 000007
【図６】
2007336408.tif 000008